(57)【要約】【課題】  情報提供者が作成及び編集し閲覧者が編集できない複数の稼働日カレンダー情報を、情報処理端末である閲覧者端末で容易に閲覧でき、企業や店舗等の情報提供者の操業日や営業日等の稼働日を、容易に把握可能な稼働日カレンダー提供システムを提供することにある。【解決手段】  情報提供者が作成及び編集し閲覧者が編集できない稼働日カレンダー情報を保存する稼働日カレンダー情報保存手段と、電気通信回線を介して稼働日カレンダー情報保存手段にアクセス可能で、複数の稼働日カレンダー情報を取得及び表示可能な稼働日カレンダー表示手段を有する情報処理端末である閲覧者端末とを備えることを特徴とする。【選択図】図１
2012173831.tif 000002
【特許請求の範囲】
【請求項１】
企業や店舗等の情報提供者の操業日及び営業日等並びにイベント及び行事等の稼働日を示す稼働日カレンダー情報を提供するための稼働日カレンダー提供システムにおいて、
該情報提供者が作成及び編集し閲覧者が編集できない該稼働日カレンダー情報を保存する稼働日カレンダー情報保存手段と、
電気通信回線を介して該稼働日カレンダー情報保存手段にアクセス可能で、複数の該稼働日カレンダー情報を取得及び表示可能な稼働日カレンダー表示手段を有する情報処理端末である閲覧者端末とを備えることを特徴とする稼働日カレンダー提供システム。
【請求項２】
前記稼働日カレンダー情報が、該稼働日カレンダー情報ごとの検索の基になる検索情報を有し、
前記稼働日カレンダー情報保存手段又は及び前記閲覧者端末が、該検索情報から前記閲覧者の所望の該稼働日カレンダー情報を見つけ出すための稼働日カレンダー情報検索機能を備えることを特徴とする請求項１記載の稼働日カレンダー提供システム。
【請求項３】
前記稼働日カレンダー情報が、前記稼働日に付随する稼働日詳細情報を有し、
前記閲覧者端末の稼働日カレンダー表示手段が、該稼働日詳細情報を表示することを特徴とする請求項１又は請求項２記載の稼働日カレンダー提供システム。
【発明の詳細な説明】
【技術分野】
【０００１】
本発明は、企業や店舗等の情報提供者の操業日及び営業日等並びにイベント及び行事等の稼働日を示す稼働日カレンダーを提供するための稼働日カレンダー提供システムに関する。
【背景技術】
【０００２】
従来より、企業や店舗等の情報提供者の稼働日や営業日等を示す稼働日カレンダーが紙媒体を中心に提供されてきている。また、一部企業や店舗等では、稼働日カレンダーをホームページ上の表示情報として提供している。
【０００３】
また、特許文献１に示されるように、例えば、新商品の発売日や映画、コンサート、スポーツの日時や期間などに関する種々の情報をカレンダーと関連付けて管理するシステムが提案されている。この特許文献１に示される日時情報提供システムは、日時と関連付けられた種々の情報を日時情報として提供する情報提供者により登録される日時情報を管理する日時情報提供サーバと、ユーザの予定を日時と関連付けてスケジュール管理するカレンダーサービスをユーザに提供し、日時と関連付けられた商品、映画、イベントなどの各種情報を日時情報として、ユーザの予定を日時と関連付けてスケジュール管理するカレンダーサービスをユーザに提供することができる。
【先行技術文献】
【特許文献】
【０００４】
【特許文献１】特開２０１０−１１３６４４号公報
【発明の概要】
【発明が解決しようとする課題】
【０００５】
しかしながら、紙媒体による稼働日カレンダーだと取り扱いが煩雑で、複数の情報提供者の稼働日カレンダーを把握することは容易ではない。
【０００６】
本発明は、このような事情に鑑みてなされたもので、情報提供者が作成及び編集し閲覧者が編集できない複数の稼働日カレンダー情報を、情報処理端末である閲覧者端末で容易に閲覧でき、企業や店舗等の情報提供者の操業日や営業日等の稼働日を、容易に把握可能な稼働日カレンダー提供システムを提供することにある。
【課題を解決するための手段】
【０００７】
請求項１記載の稼働日カレンダー提供システムは、情報提供者が作成及び編集し閲覧者が編集できない稼働日カレンダー情報を保存する稼働日カレンダー情報保存手段と、電気通信回線を介して稼働日カレンダー情報保存手段にアクセス可能で、複数の稼働日カレンダー情報を取得及び表示可能な稼働日カレンダー表示手段を有する情報処理端末である閲覧者端末とを備えることを特徴とする。
【０００８】
請求項２記載の稼働日カレンダー提供システムは、稼働日カレンダー情報が、稼働日カレンダー情報ごとの検索の基になる検索情報を有し、稼働日カレンダー情報保存手段又は及び閲覧者端末が、検索情報から閲覧者の所望の稼働日カレンダー情報を見つけ出すための稼働日カレンダー情報検索機能を備えることを特徴とする。
【０００９】
請求項３記載の稼働日カレンダー提供システムは、稼働日カレンダー情報が、稼働日に付随する稼働日詳細情報を有し、閲覧者端末の稼働日カレンダー表示手段が、稼働日詳細情報を表示することを特徴とする。
【発明の効果】
【００１０】
請求項１の発明によれば、情報提供者が作成及び編集し閲覧者が編集できない複数の稼働日カレンダー情報を、情報処理端末である閲覧者端末で容易に閲覧でき、企業や店舗等の情報提供者の操業日や営業日等の稼働日を、容易に把握可能である。
【００１１】
請求項２の発明によれば、稼働日カレンダー情報検索機能により、閲覧者は、検索情報から閲覧者の所望の稼働日カレンダー情報を容易に見つけ出すことができる。
【００１２】
請求項３の発明によれば、稼働日カレンダー情報が稼働日に付随する稼働日詳細情報を有し、閲覧者端末の稼働日カレンダー表示手段が稼働日詳細情報を表示することから、稼働日に係る情報を容易に把握することができる。
【図面の簡単な説明】
【００１３】
【図１】本発明に係る稼働日カレンダー提供システムの構造の一例を示す構成図である。
【図２】同稼働日カレンダー提供システムの閲覧者端末の画面の例を示す説明図である。
【図３】同稼働日カレンダー提供システムの閲覧者端末の画面の例を示す説明図である。
【発明を実施するための形態】
【００１４】
以下、本発明の形態について図面を参照しながら具体的に説明する。図１は、本発明に係る稼働日カレンダー提供システムの構造の一例を示す構成図である。図２及び図３は、同稼働日カレンダー提供システムの閲覧者端末の画面の例を示す説明図である。
【００１５】
図における稼働日カレンダー提供システム１は、通信網６に接続されたデータセンター１０、情報提供者端末２０及び閲覧者端末４０並びにデータセンター１０に接続された情報提供者端末３０から構成されている。稼働日カレンダー提供システム１は、企業や店舗等の情報提供者の操業日や営業日等の稼働日を示す稼働日カレンダー情報を提供するためのものである。稼働日カレンダー情報とは、従来、企業や店舗等の情報提供者が操業日や営業日等を告知するために、情報提供者が作成及び編集してお客さんや取引先に提供してきた印刷物による稼働日カレンダーの稼働日に係る情報である。
【００１６】
ここで、稼働日とは、企業や店舗等の情報提供者の操業日及び営業日等並びにイベント及び行事等の情報であり、具体的には、情報提供者側の休業日やイベントのある日、商品の安売日等の情報提供者の業務に係る告知すべき日付であり、情報提供者が一方的に閲覧者に告知する日付であり、閲覧者の意図で変更できる日付ではない。すなわち、稼働日カレンダー情報は、情報提供者が作成及び編集し閲覧者が編集できない情報である。また、情報提供者は、その情報提供者の稼働日の情報を伝達したい閲覧者がいる者であればよく、例えば、図１に示す、会社、商店、飲食店、行政機関、工場、自治会等の他、病院や診療所の様な医療機関や、学校や幼稚園、保育園の様な教育機関であってもよい。このように、稼働日カレンダー提供システム１は、グループウェアとは異なり、グループによる協調作業を支援するものではなく、稼働日カレンダー情報を閲覧する側の一方的な便宜のための情報提供にしかすぎない
【００１７】
通信網６は、電気通信回線で接続された網で、例えばインターネット網であったり電話の公衆回線網であったりする。また、通信網６を構成する形態は、ＩＳＰ（Internet Services Provider）を中心とするネットワークであってもよいしクラウド型のものであってもよく、その形態によって制限されるものではない。また、電気通信回線も、有線でも無線でもまたそれらの複合でもよく、有線であってもメタル回線や光回線の種類を問わず、無線であっても電波帯や無線形式の種類を問わない。すなわち、通信網６及び電気通信回線は、稼働日カレンダー情報に係るデータの授受が可能なものであればよい。
【００１８】
データセンター１０は、稼働日カレンダー情報に係るデータを、保存及び管理するためのもので、情報提供者端末２０，３０や閲覧者端末４０との間で稼働日カレンダー情報に係るデータを授受可能な機能を有している。具体的には、データセンター１０には、稼働日カレンダー情報に係るデータを保存する稼働日カレンダー情報保存手段や稼働日カレンダー情報保存手段を制御する制御手段が設けられている。この稼働日カレンダー情報保存手段は、例えば、コンピュータの保存手段であるハードディスクであったり、書込消去可能な光ディスクといったデータ記憶媒体である。また、制御手段は、コンピュータである。
【００１９】
情報提供者端末２０は、電気通信回線で通信網６に接続された情報処理端末で、通信網６及び電気通信回線を用いて稼働日カレンダー情報に係るデータを作成及び編集してデータセンター１０に送ることができるものである。実際の情報提供者端末２０は、会社や商店や飲食店や行政機関や工場等に設けられた情報処理端末（会社端末２１、商店端末２２、飲食店端末２３、行政機関端末２４、工場端末２５等）で、具体的には、それぞれに設けられたコンピュータや携帯電話等の携帯型情報端末である。
【００２０】
情報提供者端末３０は、情報処理端末で、稼働日カレンダー情報に係るデータを作成及び編集するものである。情報提供者端末３０で作成した稼働日カレンダー情報に係るデータは、記憶媒体に保存してその記憶媒体をデータセンター１０に送ったり、一旦書面に印刷し、ＦＡＸで稼働日カレンダー情報を送るようにしてもよい。実際の情報提供者端末３０は、会社や商店や自治会や行政機関等に設けられた情報処理端末（会社端末３１、商店端末３２、自治会端末３３、行政機関端末３４等）で、具体的には、それぞれに設けられたコンピュータや携帯電話等の携帯型情報端末である。
【００２１】
閲覧者端末４０は、電気通信回線で通信網６に接続された情報処理端末で、通信網６及び電気通信回線を用いてデータをデータセンター１０の稼働日カレンダー情報保存手段にアクセスし、複数の稼働日カレンダー情報に係るデータを取得し、取得した稼働日カレンダー情報を表示可能な稼働日カレンダー表示手段を有するものである。具体的には、携帯電話やＰＤＡ（Personal Digital Assistant）やスマートフォンのような携帯端末４１や、パーソナルコンピュータ４２、通信網６に接続する機能を有するテレビ４３等がある。
【００２２】
次に、上記のような構成の稼働日カレンダー提供システム１の動作について説明する。まず、情報提供者が、情報提供者端末２０，３０を用いて、それぞれに稼働日カレンダー情報に係るデータを作成する。そして、情報提供者端末２０からは、通信網６及び電気通信回線を用いて、作成された稼働日カレンダー情報に係るデータを、データセンター１０に送る。情報提供者端末２０からデータセンター１０へのデータの送り方は、例えば、メールでデータを送ったり、ブラウザを用いて送ったり、またブラウザ上でデータ自体を作成した後、そのブラウザを経由して送ったりすることもでき、送り方により制限されるものではない。
【００２３】
情報提供者端末３０の場合には、作成された稼働日カレンダー情報に係るデータを、記憶媒体に保存したり紙に印刷してデータセンター１０に渡すようにする。尚、情報提供者端末２０，３０において情報処理端末により、稼働日カレンダー情報に係るデータを作成しているが、必ずしも情報処理端末で作成する必要はなく、手書きの稼働日カレンダー情報をデータセンター１０に渡しデータセンター１０側で電子化してデータにしてもらってもよく、稼働日カレンダー情報の提供媒体により制限されるものではない。また、作成する稼働日カレンダー情報に係るデータの形式は、予め定められた形式であることが好ましいが、特定の形式に限られることはない。
【００２４】
稼働日カレンダー情報に係るデータを受け取ったデータセンター１０は、そのデータを、稼働日カレンダー情報保存手段に保存し、通信網６を介して、閲覧者端末４０でそれぞれに情報提供者の稼働日カレンダー情報を閲覧可能な状態にする。データセンター１０の機能（管理）としては、稼働日カレンダー情報に係るデータを保存し閲覧可能にする他、データセンター１０の使用料を情報提供者に対して課金したり、稼働日カレンダー情報に係るデータに広告情報を付加させて広告料収入を得るような管理も可能である。
【００２５】
次に、稼働日カレンダー情報を閲覧したい閲覧者は、閲覧者端末４０を用いて、電気通信回線及び通信網６を介してデータセンター１０にアクセスする。そして、データセンター１０に保存された所望の情報提供者の稼働日カレンダー情報のデータを、閲覧者端末４０にダウンロードしたり、ブラウザ等の各種アプリケーションを用いて閲覧することになる。
【００２６】
具体的には、閲覧者端末４０は、複数の稼働日カレンダー情報を取得及び表示可能な稼働日カレンダー表示手段を有し、この稼働日カレンダー表示手段として、例えば図２及び図３に示すような画面を表示可能である。図２（Ａ）、図２（Ｂ）、図３（Ｃ）及び図３（Ｄ）は、閲覧者端末４０の画面に表示されるそれぞれの情報提供者の稼働日カレンダーを表示する稼働日カレンダー表示画面５０，６０，７０，８０である。
【００２７】
図２（Ａ）の稼働日カレンダー表示画面５０は、会社の稼働日を稼働日カレンダー情報として表示可能としたものである。稼働日カレンダー表示画面５０には、まず、情報提供者名５１が表示され、情報提供者が明らかになるようにしている。そして、その下方に、年月情報表示部５４が設けられ、表示されている稼働日カレンダーの年月が表示される。尚、年月情報表示部５４の例のように、年月に関わる干支や陰暦の異称（図２及び図３の例では、陰暦１１月の異称として「霜月（しもつき）」）を表示するようにしてもよい。
【００２８】
年月情報表示部５４の下には、稼働日カレンダー表示部５６が設けられ、その情報提供者の稼働日カレンダーが表示される。稼働日カレンダー表示部５６では、休業日にあたる日の表示色を変えて表示している（図２（Ａ）では、薄色の文字で表示した数字部分）。尚、稼働日カレンダー表示画面５０を表示している当日の日を、その日の数字を枠囲いして明示している（図２（Ａ）では、１８日）。
【００２９】
尚、図２（Ａ）の稼働日カレンダー表示画面５０では、情報提供者名５１の横に、選択ボタン５２と設定ボタン５３とを設けている。選択ボタン５２は、閲覧者端末４０が取得した複数の稼働日カレンダー情報に係るデータを、適宜切り換えて表示したり、同時に複数の情報提供者の稼働日カレンダーを表示させるための選択機能を有したボタンである。複数の情報提供者の稼働日カレンダーを表示する場合は、同時に表示される情報提供者の名称を稼働日カレンダー表示画面５０に表示させると共に、稼働日カレンダー表示部５６には、１つのカレンダーに情報提供者ごとに稼働日がわかるようにして表示させたり、複数のカレンダーを同時に表示させたりすることができる。１つのカレンダーの表示で、複数の情報提供者の稼働日を表示させる場合には、情報提供者ごとに休業日の色を変えたり、枠囲いの色を変えたりするようにする。
【００３０】
設定ボタン５３は、稼働日カレンダー表示画面５０に係る表示の設定を行うためのボタンであり、設定ボタン５３を操作すると、例えば、設定画面が表示される。設定画面では、例えば、同時に稼働日カレンダー表示画面５０に表示できる情報提供者の数を設定したりすることが可能である。
【００３１】
また、選択ボタン５２により、カレンダー検索画面を表示させるようにしてもよい。この稼働日カレンダー検索画面は、閲覧者が希望する情報提供者の稼働日カレンダー情報を、データセンター１０の稼働日カレンダー情報保存手段に保存されたデータの中から検索するためのものである。稼働日カレンダー検索画面で、閲覧者が、希望の情報提供者の検索のための情報を入力し、検索を行う。稼働日カレンダー情報に係るデータには、予め、検索の元になる検索情報を付加させておき、その検索情報と閲覧者が入力した検索のための情報とを照会し、該当の情報提供者の稼働日カレンダー情報を見つけ出し（稼働日カレンダー情報検索機能）、稼働日カレンダー表示画面５０に表示させるようにする。尚、稼働日カレンダー情報に係るデータに付加させる検索の元になる検索情報としては、例えば、情報提供者名、稼働日カレンダー名、稼働日カレンダーごとに定めたコード、電話番号、業種、都道府県名、フリーキーワード等で、検索を可能にする情報であればよい。
【００３２】
検索にあたっては、複数の検索情報を用いて検索をすることも可能で、その検索情報に対して論理式を用いて設定することも可能である。尚、この稼働日カレンダー情報検索機能は、閲覧者端末４０側に持たせても良いし、稼働日カレンダー情報保存手段側に持たせても良いし、閲覧者端末４０と稼働日カレンダー情報保存手段とで協働して動作するようにしてもよい。また、稼働日カレンダーの表示や検索にあたって、閲覧者を制限するためにＩＤやパスワードを入力させ、認証された閲覧者にのみ表示や検索を許すようにしてもよい。
【００３３】
また、図２（Ａ）の稼働日カレンダー表示画面５０の稼働日カレンダー表示部５６の下には、稼働日詳細情報表示部５８が設けられている。この稼働日詳細情報表示部５８は、稼働日カレンダー情報に係るデータに予め設けられた、稼働日又は複数の稼働日に付随する稼働日詳細情報を表示するものである。稼働日に付随する稼働日詳細情報とは、稼働日詳細情報表示部５８に示すような就業時間（図３（Ｄ）の稼働日詳細情報表示部８８）であったり、病院であれば診察時間（図２（Ｂ）の稼働日詳細情報表示部６８）、店舗等の営業施設であれば営業時間（図３（Ｃ）の稼働日詳細情報表示部７８）、といった稼働日ごとに情報提供者が閲覧者に伝えたい情報である。
【００３４】
図２（Ｂ）、図３（Ｃ）及び図３（Ｄ）に示す稼働日カレンダー表示画面６０，７０，８０は、稼働日カレンダー表示画面５０と同様な稼働日カレンダー情報を表示する機能を有し、情報提供者名６１，７１，８１、選択ボタン６２，７２，８２、設定ボタン６３，７３，８３、年月情報表示部６４，７４，８４は、稼働日カレンダー表示画面５０の場合と同様である。ここで、図２（Ｂ）の稼働日カレンダー表示画面６０の稼働日カレンダー表示部６６では、休診日を診療日とは別の色で表示する一方、診療時間の違う日を、日付を丸囲いすることで識別できるようにしている。そして、稼働日詳細情報表示部６８において、その日ごとの診療時間を表示できるように稼働日詳細情報を生成して付加させている。稼働日詳細情報表示部６８では、表示している当日だけではなく、他の日付の情報や、複数の日付に共通する稼働日詳細情報を表示するようにしてもよい。
【００３５】
図３（Ｃ）の稼働日カレンダー表示画面７０の稼働日カレンダー表示部７６では、イベントのある日（イベントデー）を、丸囲いして示して、営業時間以外の情報がある日を示している。そして、稼働日詳細情報表示部７８では、営業時間の他、イベントデーの具体的な情報（イベントの内容等）を示している。
【００３６】
また、図３（Ｄ）の稼働日カレンダー表示画面８０の稼働日詳細情報表示部８８のように、就業時間という意味においては同一の２つの時間（情報）を同時に表示し、閲覧者がそれぞれに選択して時間（情報）を読むことができるようにしてもよい。このように、稼働日詳細情報表示部５８，６８，７８，８８に表示する稼働日詳細情報は、稼働日に関係する内容であれば、その内容により制限されるものではなく、また表示形式も自由である。
【００３７】
尚、稼働日カレンダー情報に係るデータの更新は、閲覧者がデータセンター１０に問い合わせを掛ける形で行ってもよいし、データセンター１０側から何らかの通知を閲覧者端末４０に送ったりしてもよい。また、閲覧者の意図に関わらず、データセンター１０と閲覧者端末４０との間で適宜自動で稼働日カレンダー情報に係るデータを更新し同期をさせるようにしてもよい。このように、更新の形態により制限されるものではない。
【００３８】
以上のように、本実施の形態における稼働日カレンダー提供システム１によれば、情報提供者が作成及び編集し閲覧者が編集できない複数の稼働日カレンダー情報を、情報処理端末である閲覧者端末４０で容易に閲覧でき、企業や店舗等の情報提供者の操業日や営業日等の稼働日を、容易に把握可能である。また、一つの画面（又はソフトウェア上）で複数の稼働日カレンダー情報を容易に切替て表示することもできる。さらに、稼働日カレンダー情報検索機能を設けることにより、閲覧者は、検索情報から閲覧者の所望の稼働日カレンダー情報を容易に見つけ出すことができる。さらに、稼働日カレンダー情報に、稼働日に付随する稼働日詳細情報を設け、閲覧者端末４０の稼働日カレンダー表示手段が稼働日詳細情報を表示できるようにすることで、稼働日に係る情報を容易に把握することができる。
【００３９】
尚、稼働日カレンダー表示画面５０，６０，７０，８０の画面レイアウトは、図２（Ａ）、図２（Ｂ）、図３（Ｃ）及び図３（Ｄ）に示すものに限られるものではなく、稼働日カレンダー情報が表示されていればよい。また、選択ボタン５２，６２，７２，８２や設定ボタン５３，６３，７３，８３の形式も、ボタン式でも良いし、タブ形式で予め表示された情報提供者の名前から選択したり稼働日カレンダー検索画面の呼び出しをするようにしてもよい。
【００４０】
尚、上記の実施の形態では、データセンター１０の稼働日カレンダー情報保存手段に稼働日カレンダー情報に係る情報を保存させているが、一元管理的なデータセンター１０を用いることなく、情報提供者が独自に稼働日カレンダー情報保存手段を設けて運用するようにしてもよく、稼働日カレンダー情報保存手段がどこにどのような形で設けられているかによって制限されるものではない。
【００４１】
また、稼働日カレンダー情報に係るデータのフォーマットを統一し、例えばファイル名の拡張子を統一することも可能で、統一することにより、同一のソフトウェア・アプリケーションでの表示が容易になったり、通信網６の中で所望の稼働日カレンダー情報に係るデータの検索も容易になる。
【００４２】
さらに、稼働日カレンダー情報保存手段を通信網の一形態であるクラウド上に設けることで、世界に分散したユーザが、サーバーを意識せず所望の稼働日カレンダー情報の閲覧が可能となる。また、表示する稼働日カレンダー情報は、閲覧者端末４０に保存されたオフライン情報（ダウンロード分）でもよいし、電気通信回線６を介したオンライン情報であってもよい。
【産業上の利用可能性】
【００４３】
以上のように、本発明によれば、情報提供者が作成及び編集し閲覧者が編集できない複数の稼働日カレンダー情報を、情報処理端末である閲覧者端末で容易に閲覧でき、企業や店舗等の情報提供者の操業日や営業日等の稼働日を、容易に把握可能な稼働日カレンダー提供システムを提供することができる。
【符号の説明】
【００４４】
１・・・・稼働日カレンダー提供システム
６・・・・電気通信回線
１０・・・データセンター
２０・・・情報提供者端末
２１・・・会社端末
２２・・・商店端末
２３・・・飲食店端末
２４・・・行政機関端末
２５・・・工場端末
３０・・・情報提供者端末
３１・・・会社端末
３２・・・商店端末
３３・・・自治会端末
３４・・・行政機関端末
４０・・・閲覧者端末
４１・・・携帯端末
４２・・・パーソナルコンピュータ
４３・・・テレビ
５０・・・稼働日カレンダー表示画面
５１・・・情報提供者名
５２・・・選択ボタン
５３・・・設定ボタン
５４・・・年月情報表示部
５６・・・稼働日カレンダー表示部
５８・・・稼働日詳細情報表示部
６０・・・稼働日カレンダー表示画面
６１・・・情報提供者名
６２・・・選択ボタン
６３・・・設定ボタン
６４・・・年月情報表示部
６６・・・稼働日カレンダー表示部
６８・・・稼働日詳細情報表示部
７０・・・稼働日カレンダー表示画面
７１・・・情報提供者名
７２・・・選択ボタン
７３・・・設定ボタン
７４・・・年月情報表示部
７６・・・稼働日カレンダー表示部
７８・・・稼働日詳細情報表示部
８０・・・稼働日カレンダー表示画面
８１・・・情報提供者名
８２・・・選択ボタン
８３・・・設定ボタン
８４・・・年月情報表示部
８６・・・稼働日カレンダー表示部
８８・・・稼働日詳細情報表示部
【図１】
2012173831.tif 000003
【図２】
2012173831.tif 000004
【図３】
2012173831.tif 000005